(57)【要約】      （修正有）【課題】強風時の衝突音の回避、及び開閉作業時の負担の小さい養生シートを提供する。【解決手段】足場Ａの外側に、前後２本の軌道１、1a、２、2aを２列並設し、前方の２本の軌道１、２及び後方の２本の軌道1a、2aに複数枚の養生シート３、3a…、４、4a…の両端部を開閉可能に取り付け、前方の養生シート３、3a…の間に後方の養生シート４、4a…を配置させ、上記前後方の養生シート３、3a…、４、4a…の自動開閉手段５は、上記各軌道１、1a、２、2aに対し平行な線材６、6a、７、7aと、該線材６、6a、７、7aを往復動させる駆動部８とを備え、該駆動部８により前方の線材６、７と後方の線材6a、7aを相反方向に往復させると共に、上記前後方の養生シート３、3a…、４、4a…の閉鎖方向の端部を線材６、6a、７、7aに、開放方向の端部を上記軌道１、1a、２、2aに夫々固定する。【選択図】図１
2007327224.tif 000002
【特許請求の範囲】
【請求項１】
建物の外側に設置する足場の外側に、前後２本の軌道を、縦方向又は横方向に２列並設し、前方の２本の軌道及び後方の２本の軌道に複数枚の養生シートの両端部を開閉可能に取り付け、閉鎖状態における隣接する養生シート間に隙間を設けて、前方の養生シートの間に後方の養生シートを配置させ、上記前後方の養生シートの自動開閉手段は、上記各軌道に対し平行な線材と、該線材を往復動させる駆動部とを備え、該駆動部により前方の線材と後方の線材を相反方向に往復させると共に、上記前後方の養生シートの閉鎖方向の端部を駆動部の線材に、開放方向の端部を上記軌道に夫々固定したことを特徴とする足場における養生シートの開閉装置。
【請求項２】
一方の前後方の線材を一端側で連結し、他方の前後方の線材を一端側で連結し、一方且つ前方の線材の他端部と他方且つ後方の線材の他端部を連結し、他方且つ前方の線材の他端部と一方且つ後方の線材の他端部を連結して無端状の伝動線材とし、該伝動線材における線材該当部位の両端部位をプーリーに掛けたことを特徴とする請求項１記載の足場における養生シートの開閉装置。
【発明の詳細な説明】
【技術分野】
【０００１】
本発明は、マンションの様な多層建築物の外装工事用仮設足場に使用する養生シートの開閉装置に関する。
【背景技術】
【０００２】
従来、かかる養生シートにあっては、仮設足場の外側に、建物外面を遮蔽したり、塗料などの飛散を防止するために、メッシュ素材からなる養生シートが取り付けられるが、該養生シートは仮設足場に縛りつけられている。
よって、例えば改装工事の場合には居住者が居住したまま作業するが、養生シートに透光性及び通風性が備わっていたとしても解放感はないため、休日など作業していない時だけでもシートを開放して欲しい強い願望が居住者側にある場合が多いが、養生シートは仮設足場に縛りつけられていることから、休日前の終業時に養生シートを外して休日後の始業時に養生シートを取り付けることは事実上不可能なため、対応できなかった。
【０００３】
そこで、工事中の建物の外面を遮蔽するための養生シートを簡単に開閉可能にした養生シートの開閉装置が開発された（例えば、特許文献１参照）。
これは、上端部が固定された養生シートにおける上下方向の略中央部に取付けられた巻取パイプと、該巻取パイプに、これと略同心に取付けられたドラム体と、該ドラム体に、養生シートの巻取方向と逆方向に巻回された巻取ロープの巻き取り・繰り出しを行うための巻取手段とを備え、該巻取手段により巻取ロープに張力を与え、ドラム体に巻回された巻取ロープを繰り出して、前記巻取パイプを巻取方向に転動させながら、前記養生シートの上半部と下半部とを略同時に巻き取って養生シートを開き、前記巻取手段による巻取ロープの張力を解放させ、巻取パイプを、その自重によって養生シートの繰り出し方向に転動させながら、前記養生シートの上半部と下半部とを略同時に繰り出して、養生シートを閉じる様に構成することで、巻取パイプの上昇量を養生シートの全高の約半分にして、開閉作業の効率化を図る様にしている。
【０００４】
【特許文献１】特開２００１−１３２２３６号公報（請求項１、段落番号〔０００６〕、図３、４、６、８）
【発明の開示】
【発明が解決しようとする課題】
【０００５】
しかし、上記従来技術にあっては、養生シートの略中央に巻取パイプがあるため、強風下で養生シートが煽られると巻取パイプが足場に当たって衝突音が発生するため、居住者及び周辺住民に不快感を与える可能性が大きく、而も巻取パイプを転動させながら上下動させることで、養生シートの巻き取り・繰り出しを行うため、開閉作業時の負担が非常に大きくなるなど、解決せねばならない課題があった。
【課題を解決するための手段】
【０００６】
本発明は、上記従来技術に基づく、強風時に衝突音が発生したり、開閉作業時の負担が大きい課題に鑑み、建物の外側に設置する足場の外側に、前後２本の軌道を、縦方向又は横方向に２列並設し、前方の２本の軌道及び後方の２本の軌道に複数枚の養生シートの両端部を開閉可能に取り付け、閉鎖状態における隣接する養生シート間に隙間を設けて、前方の養生シートの間に後方の養生シートを配置させ、上記前後方の養生シートの自動開閉手段は、上記各軌道に対し平行な線材と、該線材を往復動させる駆動部とを備え、該駆動部により前方の線材と後方の線材を相反方向に往復させると共に、上記前後方の養生シートの閉鎖方向の端部を駆動部の線材に、開放方向の端部を上記軌道に夫々固定したことによって、閉鎖状態の養生シートが足場に当たった際に発生する音が極めて小さなり、駆動部を始動させるだけで養生シートを開閉出来るため、養生シートの開閉作業の簡略化可能にし、養生シートの１枚分の幅だけ線材を往復動させれば完全に開閉可能で、而も線材により往復動させられるのは養生シートだけであるため、駆動部への負担を軽くする様にして、上記課題を解決する。
【発明の効果】
【０００７】
要するに本発明は、建物の外側に設置する足場の外側に、前後２本の軌道を、縦方向又は横方向に２列並設し、前方の２本の軌道及び後方の２本の軌道に複数枚の養生シートの両端部を開閉可能に取り付け、閉鎖状態における隣接する養生シート間に隙間を設けて、前方の養生シートの間に後方の養生シートを配置させたので、各養生シートをその幅分往復させれば開閉可能になるため、開閉作業時の負担を軽減することが出来、又上記前後方の養生シートの自動開閉手段は、上記各軌道に対し平行な線材と、該線材を往復動させる駆動部とを備え、該駆動部により前方の線材と後方の線材を相反方向に往復させると共に、上記前後方の養生シートの閉鎖方向の端部を駆動部の線材に、開放方向の端部を上記軌道に夫々固定したので、上記線材により前後方の養生シートを軌道に沿って自動的に開閉方向動かすことが出来るため、作業者による養生シートの開閉作業を無くすことが出来る。
而も、一方の前後方の線材を一端側で連結し、他方の前後方の線材を一端側で連結し、一方且つ前方の線材の他端部と他方且つ後方の線材の他端部を連結し、他方且つ前方の線材の他端部と一方且つ後方の線材の他端部を連結して無端状の伝動線材とし、該伝動線材における線材該当部位の両端部位をプーリーに掛けたので、全ての養生シート同期的に動かすことが出来るため、１つの駆動部で対応することが出来る等その実用的効果甚だ大である。
【発明を実施するための最良の形態】
【０００８】
以下本発明を実施するための最良の形態を図面に基づいて説明する。
本発明に係る養生シートの開閉装置にあっては、建物Ｗの外側に設置された足場Ａにおける外側を複数箇所の遮蔽エリアＢ、Ｂａ…に区割し、各遮蔽エリアＢ、Ｂａ…の夫々の上下部又は両側部に前後２列の軌道１、1a、２、2aを並設し、前方の一対の軌道１、２及び後方の一対の軌道1a、2aに複数枚の前後方の養生シート３、3a…、４、4a…の両端部を開閉可能に取り付けると共に、前方の養生シート３、3a…の間に後方の養生シート４、4a…を配置させている。又、上記前後方の養生シート３、3a…、４、4a…の自動開閉手段５を、上記各軌道１、1a、２、2aに対し平行に設けた線材６、6a、７、7aと、該線材６、6a、７、7aを往復動させる駆動部８とを備え、かかる前方の線材６、７と後方の線材6a、7aを相反方向に往復自在とすると共に、上記前後方の安全３、3a…、４、4a…の閉鎖方向の端部を上記線材６、6a、７、7aに、開放方向の端部を上記軌道１、1a、２、2aに夫々固定している。
以下、具体的に説明する。
【０００９】
図１、２は、左右開閉式の養生シート開閉装置における開閉状態を示す概略斜視図、図３は、開放状態の養生シート開閉装置の概略平面図、図４、５は、図１のＸ−Ｘ断面図及びＹ−Ｙ断面の一部省略した要部拡大図であり、各遮蔽エリアＢ、Ｂａ…の四隅部に取付枠10、10a 、11、11a を外方突設し、上方の取付枠10、10a に上方の軌道１、1aを、下方の取付枠11、11a に下方の軌道２、2aを夫々固定している。
軌道１、1a、２、2aにあっては、ワイヤー、ロープ、棒鋼などの線状材とし、養生シート３、3a…、４、4a…側に設けたリングに挿通させて、軌道１、1a、２、2aに対し養生シート３、3a…、４、4a…が開閉可能に取り付けられている。
自動開閉手段５における各線材６、6a、７、7aを一本の伝動線材12の一部位とし、上方の線材６、6aの一端側を連結し、前方且つ上方の線材６の他端部と後方且つ下方の線材7aの他端部を連結し、前方且つ下方の線材７の他端部と後方且つ上方の線材6aの他端部を連結し、下方の線材７、7aの一端側を連結して、上記伝動線材12を無端状に形成している。
尚、伝動線材12における線材６、6a、７、7aの両端側部位を、取付枠10、10a 、11、11a に取り付けたプーリー13、13a …に掛けて線材６、6a、７、7aを同期駆動させる様にしている。
又、伝動線材12の一箇所を一対のプーリー14、14a を設けて蛇行させると共に、該蛇行部位を自動開閉手段５における駆動部８のプーリー15に掛けて、駆動部８の正逆駆動により線材６、6a、７、7aを往復動させる様にしている。
【００１０】
図６、７は上下開閉式の養生シート開閉装置における開閉状態を示す概略斜視図であり、上述の左右開閉式養生シート開閉装置と同構成であるが、一側方の取付枠10、11に一方の軌道１、1aを、他側方の取付枠10a 、11a に他側方の軌道２、2aを夫々固定している。  又、一側方の前後方の線材６、6aの一端側を連結し、前方且つ一側方の線材６の他端部と後方且つ他側方の線材7aの他端部を連結し、前方且つ他側方の線材７の他端部と後方且つ一側方の線材6aの他端部を連結し、他側方の線材７、7aの一端側を連結して、上記伝動線材12を無端状に形成している。
【００１１】
尚、上記実施例における軌道１、1a、２、2aにあっては、ワイヤー、ロープ、棒鋼などの線状材であるが、図８に示す様なレールであっても良く、この場合、レールに対し移動可能に備えられた複数個の移動子に養生シート３、3a…、４、4a…を取り付ける様にしている。
又、図面上、前方の養生シート３、3a…と後方の養生シート４、4a…の間が必要以上に広くなっているが、これは構造を理解し易くするために敢えてこの様に作図したものであり、なるべく狭くするのが好ましい。
又、プーリー13、13a …のうち、一方の前後方の線材６、6aの一端側と、他方の前後方の線材７、7aの一端側に位置するプーリーは夫々２個あるが、１個であっても良い。
【００１２】
次に本発明に係る養生シート開閉装置の作用について説明する。
閉鎖状態の養生シート３、3a…、４、4a…を開く場合、自動開閉手段５における駆動部８を始動させると正動し、前方の線材６、７が一方向（図１における右方向で、図６における下方向）に、後方の線材6a、7aが他方向（図１における左方向で図６における上方向）に夫々往動して、養生シート３、3a…、４、4a…が開放され、開放状態の養生シート３、3a…、４、4a…を閉める場合、自動開閉手段５における駆動部８を始動させると逆動し、前方の線材６、７が他方向（図１における左方向で図６における上方向）に、後方の線材6a、7aが一方向（図１における右方向で、図６における下方向）に夫々復動して、養生シート３、3a…、４、4a…が閉鎖される。
つまり、１枚で全面を覆う養生シートと比して４分の１、２枚で全面を覆う養生シートと比して２分の１のストロークで開閉可能になる。しかしこれは、あくまでも図面に示された様な前後に２枚ずつの養生シート３、3a、４、4aがある場合であり、図示しないが、場合によっては３枚ずつ以上であっても良い。
尚、全ての遮蔽エリアＢ、Ｂａ…の開閉装置を１箇所の操作パネル（図示せず）で操作可能にしても良い。
【図面の簡単な説明】
【００１３】
【図１】左右開閉式養生シート開閉装置における閉鎖状態を示す概略斜視図である。
【図２】左右開閉式養生シート開閉装置における開放状態を示す概略斜視図である。
【図３】開放状態の養生シート開閉装置の水平断面の概略図である。
【図４】図１のＸ−Ｘ断面の一部を省略した要部拡大図である。
【図５】図１のＹ−Ｙ断面の一部を省略した要部拡大図である。
【図６】上下開閉式養生シート開閉装置における閉鎖状態を示す概略斜視図である。
【図７】上下開閉式養生シート開閉装置における開放状態を示す概略斜視図である。
【図８】軌道をレールとした養生シート開閉装置の縦断面の一部を省略した要部拡大図である。
【符号の説明】
【００１４】
１、1a、２、2a  軌道
３、3a、４、4a  養生シート
５              自動開閉手段
６、6a、７、7a  線材
８              駆動部
12              伝動線材
13、13a …      プーリー
Ｗ              建物
Ａ              足場
【図１】
2007327224.tif 000003
【図２】
2007327224.tif 000004
【図３】
2007327224.tif 000005
【図４】
2007327224.tif 000006
【図５】
2007327224.tif 000007
【図６】
2007327224.tif 000008
【図７】
2007327224.tif 000009
【図８】
2007327224.tif 000010